(57)【要約】      （修正有）【課題】少ない種類の天井パネルで天井面を形成でき、天井裏の作業スペースが狭くても容易に施工でき、施工の際にいずれの天井パネルからでも施工できるユニットルームと天井パネルの連結施工方法を提供する。【解決手段】天井パネル1の天井面形成部11の端縁に沿って立上り壁部12aと連結部材係止部12bとからなる連結部材装着部12を設け、隣接する２つの天井パネル１を立上り壁部12a同士を対面させた連結姿勢にし、この連結姿勢の両立上り壁部12aを複数の連結部材2aによって、立上り壁部12aの長手方向の両端部を含む複数箇所で間欠的に連結保持した。連結部材2aを２つの天井パネル1を連結姿勢に保持した状態で点検口から作業者が着脱可能で、装着状態で連結部材2aの挟着部24によって両立上り壁部12aを両側から挟み込むとともに、連結部材装着部12の長手方向にスライド可能に形成した。【選択図】図２
2014136936.tif 000002
【特許請求の範囲】
【請求項１】
複数の天井パネルが連結されて天井面が形成されるユニットルームであって、
前記天井パネルが、天井面形成部と、
この天井面形成部の端縁から天井裏側に立ち上がる立上り壁部およびこの立上り壁部上端から前記パネル本体部に対して平行となるように形成された連結部材係止部とからなる連結部材装着部とを有し、
隣接する２つの天井パネルが、前記立上り壁部同士を対面させた連結姿勢にされ、
この連結姿勢の２つの前記立上り壁部が複数の連結部材によって、立上り壁部の長手方向の両端部を含む複数箇所で間欠的に連結保持されていて、
前記連結部材は、それぞれ両天井パネルの立上り壁部を両側から挟み込むように設けられた挟着部によって両天井パネルを部分的に連結保持するとともに、両天井パネルが連結姿勢を保持した状態で着脱可能に形成されているとともに、前記挟着部が挟着状態の連結保持姿勢を保ちながら前記連結部材装着部の長手方向にスライド可能に形成されていることを特徴とするユニットルーム。
【請求項２】
天井パネルのいずれか１つに点検口が設けられているとともに、両天井パネルの連結部材装着部に沿うように配置される補強部材を有し、
前記点検口の近傍位置に装着された連結部材が少なくとも前記補強部材に支持固定されている請求項１に記載のユニットルーム。
【請求項３】
補強部材が、帯状をした天板部と、この天板部の幅方向の両側から平行に延出する脚部を有し、両天井パネルの連結部材装着部を天板部によって上方から覆い、両脚部の間に少なくとも連結部材が挟まれるように配置される請求項２に記載のユニットルーム。
【請求項４】
連結部材が、天井パネルの両端を連結する端部連結部材と、端部連結部材と端部連結部材との中間部を連結する内側連結部材とからなり、
前記端部連結部材および内側連結部材は、その下端部に前記補強部材の脚部を下側から受ける脚部受け部を外側に突出するように両側にそれぞれ備えるとともに、
内側連結部材の底面から内側連結部材の脚部受け部の上面までの高さが、端部連結部材の底面から端部連結部材その脚部受け部の上面までの高さより低くく形成されている請求項３に記載のユニットルーム。
【請求項５】
連結部材が、係合手段を有し、係合手段の係合を解除することによって分離自在で、かつ、それぞれ一方の挟着部を有する２つの連結部材形成ピースからなり、
両連結部材形成ピースは、一方の連結部材形成ピースが連結姿勢にある一方の天井パネルの連結部材装着部の連結部材係止部と天井面形成部との隙間に前記挟着部が入り込むように配置され、他方の連結部材形成ピースが前記一方の連結部材形成ピースとずれた位置で連結姿勢にある他方の天井パネルの連結部材装着部の連結部材係止部と天井面形成部との隙間に前記挟着部が入り込むように配置された状態にされたのち、一方の連結部材形成ピースを他方の連結部材形成ピース方向に連結部材装着部に沿って相対的にスライド移動させて連結保持状態にされる請求項１〜請求項４のいずれかに記載のユニットルーム。
【請求項６】
連結部材が、連結姿勢にある両天井パネルの連結部材係止部を上側から覆うように配置される上部カバー部と、
この上部カバー部の基準点を対称中心にして点対称位置に設けられた２つの挟着部とを有するとともに、
両天井パネルの連結部材係止部上で前記上部カバー部を前記基準点を中心に、一方に回転させることによって、２つの挟着部が、前記連結部材係止部と天井面形成部間に嵌り込み、他方に回転させることによって、前記連結部材係止部と天井面形成部間から離脱するように形成されている請求項１〜請求項４のいずれかに記載のユニットルーム。
【請求項７】
請求項２〜請求項６のいずれかに記載のユニットルームの天井パネルの連結施工方法であって、
天井パネルの連結側の端縁部を除く端縁部をユニットルームの側壁構造材の上端に支持させた状態で各天井パネルを連結姿勢にしたのち、
室内側からいずれか一方の天井パネルに設けられた点検口から作業者が天井裏に体を臨ませて、前記点検口の近傍の手の届く範囲で連結部材を連結状態に仮装着し、治具を用いて正常連結位置までスライドさせる工程を備えていることを特徴とする天井パネルの連結施工方法。
【請求項８】
両面が粘着面となったテープ状のシール材を、一方の粘着面に離型テープを残した状態で、他方の粘着面を用いて一方に天井パネルの立上り壁部の長手方向全長にわたって貼着した状態で、一方の天井パネルの立上り壁部と他方の天井パネルの立上り壁部との間で前記離型テープを残した状態のシール材を、前記離型テープの長手方向の一端部または両端部を粘着面から離型させて、ユニットルームの室内側に突出させた状態に挟み込んで、両天井パネルを連結姿勢にし、少なくとも連結部材による連結施工完了後、前記室内側に突出する離型テープの端部を室内側に引っ張りながら前記離型テープを取り除く請求項７に記載の天井パネルの連結施工方法。
【発明の詳細な説明】
【技術分野】
【０００１】
本発明は、ユニット式浴室やユニット式シャワー室等のユニットルームおよびその天井パネルの連結施工方法に関する。
【背景技術】
【０００２】
ユニット式浴室やユニット式シャワー室等のユニットルームは、一般的に床パンの周囲にスタッド等の支柱部材を垂設し、この支柱部材に壁パネルを支持させて周壁を構築したのち、壁パネルの上端に天井パネルの周縁を受けさせて天井を構築するようになっている。
また、上記のユニットルームの場合、複数枚の天井パネルを隣接して並べ、隣接する天井パネル同士を連結して天井を形成することがある。
【０００３】
天井パネル同士を連結する構造としては、図２１に示すように、天井面形成部１１０の端縁に天井裏側に立ち上がる連結用の立上り壁部１２０を備える２つの天井パネル１００を、立上り壁部１２０と立上り壁部１２０との間に天井パネル１００の自重による撓みを押さえる補強材３２０を挟み込んだ状態で、両立上り壁部１２０を長手方向の両端部と中間部の複数個所（合計５〜９箇所程度）でボルト３００およびナット３１０で挟着固定する構造（特許文献１）がよく用いられている。図２１中、１３０は石膏ボードや発泡樹脂板等の裏打ち材である。
しかし、このような天井パネルの連結固定構造の場合、天井裏の作業スペースが高さ方向に広い場合、問題はないが、ボルト３００およびナット３１０の締め込み作業を天井パネルに設けられた点検口から行うため、天井裏の作業スペースが高さ方向に狭い場合、点検口から離れた位置の締め込み作業が非常に難しいという問題がある。
【０００４】
一方、図２２に示すように、一方の天井パネル５００をパネル本体５１０の天井裏側の１端縁に沿って係合突部５２１を備えた第１連結部材５２０を固定して形成し、他方の天井パネル４００をパネル本体４１０に沿って鉤状をした弾性係合部４２１を備えた第２連結部材４２０を固定して形成し、一方の天井パネル５００を壁パネル（図示せず）の上端に受けさせるように配置したのち、係合突部５２１に、他方の天井パネル４００の弾性係合部４２１を上方から弾性係合させて両天井パネル５００、４００を連結固定するようにした構造もある。
また、このような弾性係合を利用した連結構造としては、係合突部および弾性係合部を天井パネル本体を構成する化粧鋼板に端縁を折り曲げ加工して形成した天井パネルを用い、係合突部に弾性係合部を弾性係合したのち、固定具で両係合部を固定するようにした構造も提案されている（特許文献２）。
【先行技術文献】
【特許文献】
【０００５】
【特許文献１】特開平8-302889号公報
【特許文献２】特開平9-32323号公報
【発明の概要】
【発明が解決しようとする課題】
【０００６】
上記係合突部に弾性係合部を弾性係合させる連結構造の場合、係合突部に弾性係合部を係合させることによって天井パネル同士がほぼ全長にわたって連結されるので、天井裏の作業スペースが高さ方向に狭い場合も施工が容易である。
しかし、上記連結構造の場合、係合突部の上側から弾性係合部を弾性係合するようになっており、先に係合突部を備えた天井パネルを設置したのちに、弾性係合部を係合させなければならない。したがって、間違えて先に弾性係合部を備えた天井パネルを壁パネルに支持させた場合、係合突部側の天井パネルの施工ができない、あるいは、非常に難しいという問題があり、施工手順に規制があり面倒である。
【０００７】
しかも、２枚の天井パネルを連結する場合においても、係合突部を備えた天井パネルと、弾性係合部を備えた天井パネルの２種類の天井パネルを用意しなければならず、天井パネルの製造コストに問題があるとともに、弾性係合部を備えた天井パネルにおいては、弾性係合部が天井パネル本体の側面から突出するとともに、上方へもかさ高くなっており、積み重ねて搬送したりストックしたりする時に弾性係合部が邪魔になる。
【０００８】
本発明は、上記事情に鑑みて、少ない種類の天井パネルで天井面を形成することができるとともに、天井裏の作業スペースが狭くても容易に施工でき、しかも、天井パネルの施工の際にいずれの天井パネルからでも施工することができるユニットルームおよびその天井パネルの連結施工方法を提供することを目的としている。
【課題を解決するための手段】
【０００９】
上記目的を達成するために、本発明の請求項１に記載のユニットルーム（以下、「請求項１のユニットルーム」と記す）は、複数の天井パネルが連結されて天井面が形成されるユニットルームであって、前記天井パネルが、天井面形成部と、この天井面形成部の端縁から天井裏側に立ち上がる立上り壁部およびこの立上り壁部上端から前記パネル本体部に対して平行となるように形成された連結部材係止部とからなる連結部材装着部とを有し、隣接する２つの天井パネルが、前記立上り壁部同士を対面させた連結姿勢にされ、この連結姿勢の２つの前記立上り壁部が複数の連結部材によって、立上り壁部の長手方向の両端部を含む複数箇所で間欠的に連結保持されていて、前記連結部材は、それぞれ両天井パネルの立上り壁部を両側から挟み込むように設けられた挟着部によって両天井パネルを部分的に連結保持するとともに、両天井パネルが連結姿勢を保持した状態で着脱可能に形成されているとともに、前記挟着部が挟着状態の連結保持姿勢を保ちながら前記連結部材装着部の長手方向にスライド可能に形成されていることを特徴としている。
【００１０】
本発明の請求項２に記載のユニットルーム（以下、「請求項２のユニットルーム」と記す）は、請求項１のユニットルームにおいて、天井パネルのいずれか１つに点検口が設けられているとともに、両天井パネルの連結部材装着部に沿うように配置される補強部材を有し、
前記点検口の近傍位置に装着された連結部材が少なくとも前記補強部材に支持固定されていることを特徴としている。
【００１１】
本発明の請求項３に記載のユニットルーム（以下、「請求項３のユニットルーム」と記す）は、請求項２のユニットルームにおいて、補強部材が、帯状をした天板部と、この天板部の幅方向の両側から平行に延出する脚部を有し、両天井パネルの連結部材装着部を天板部によって上方から覆い、両脚部の間に少なくとも連結部材が挟まれるように配置されることを特徴としている。
【００１２】
本発明の請求項４に記載のユニットルーム（以下、「請求項４のユニットルーム」と記す）は、請求項３のユニットルームにおいて、連結部材が、天井パネルの両端を連結する端部連結部材と、端部連結部材と端部連結部材との中間部を連結する内側連結部材とからなり、前記端部連結部材および内側連結部材は、その下端部に前記補強部材の脚部を下側から受ける脚部受け部を外側に突出するように両側にそれぞれ備えるとともに、内側連結部材の底面から内側連結部材の脚部受け部の上面までの高さが、端部連結部材の底面から端部連結部材その脚部受け部の上面までの高さより低くく形成されていることを特徴としている。
【００１３】
本発明の請求項５に記載のユニットルーム（以下、「請求項５のユニットルーム」と記す）は、請求項１〜４のいずれかのユニットルームにおいて、連結部材が、係合手段を有し、係合手段の係合を解除することによって分離自在で、かつ、それぞれ一方の挟着部を有する２つの連結部材形成ピースからなり、両連結部材形成ピースは、一方の連結部材形成ピースが連結姿勢にある一方の天井パネルの連結部材装着部の連結部材係止部と天井面形成部との隙間に前記挟着部が入り込むように配置され、他方の連結部材形成ピースが前記一方の連結部材形成ピースとずれた位置で連結姿勢にある他方の天井パネルの連結部材装着部の連結部材係止部と天井面形成部との隙間に前記挟着部が入り込むように配置された状態にされたのち、一方の連結部材形成ピースを他方の連結部材形成ピース方向に連結部材装着部に沿って相対的にスライド移動させて連結保持状態にされることを特徴としている。
【００１４】
本発明の請求項６に記載のユニットルーム（以下、「請求項６のユニットルーム」と記す）は、請求項１〜４のいずれかのユニットルームにおいて、連結部材が、連結姿勢にある両天井パネルの連結部材係止部を上側から覆うように配置される上部カバー部と、この上部カバー部の基準点を対称中心にして点対称位置に設けられた２つの挟着部とを有するとともに、両天井パネルの連結部材係止部上で前記上部カバー部を前記基準点を中心に、一方に回転させることによって、２つの挟着部が、前記連結部材係止部と天井面形成部間に嵌り込み、他方に回転させることによって、前記連結部材係止部と天井面形成部間から離脱するように形成されていることを特徴としている。
【００１５】
本発明の請求項７に記載の天井パネルの連結施工方法（以下、「請求項７の連結施工方法」と記す）は、請求項２〜請求項６のいずれかのユニットルームの天井パネルを連結施工するにあたり、天井パネルの連結側の端縁部を除く端縁部をユニットルームの側壁構造材の上端に支持させた状態で各天井パネルを連結姿勢にしたのち、
室内側からいずれか一方の天井パネルに設けられた点検口から作業者が天井裏に体を臨ませて、前記点検口の近傍の手の届く範囲で連結部材を連結状態に仮装着し、治具を用いて正常連結位置までスライドさせる工程を備えていることを特徴としている。
【００１６】
上記側壁構造材としては、例えば、壁パネル、ドア枠、これらを立設状態に支持するスタッド等の支柱が挙げられる。
上記治具としては、特に限定されないが、ハンマーや、このハンマーの打撃力を連結部材に伝達する木製の当て板や棒状部材、連結部材を押圧するピストンロッドを有する油圧工具などが挙げられる。また、ハンマーで直接打撃を加える場合には、少なくとも表面がゴム等の弾性材料で形成されたハンマーが好ましい。
【００１７】
本発明の請求項８に記載の天井パネルの連結施工方法（以下、「請求項８の連結施工方法」と記す）は、請求項７の連結施工方法において、両面が粘着面となったテープ状のシール材を、一方の粘着面に離型テープを残した状態で、他方の粘着面を用いて一方に天井パネルの立上り壁の長手方向全長にわたって貼着した状態で、一方の天井パネルの立上り壁と他方の天井パネルの立上り壁との間で前記離型テープを残した状態のシール材を、前記離型テープの長手方向の一端部または両端部を粘着面から離型させて、ユニットルームの室内側に突出させた状態に挟み込んで、両天井パネルを連結姿勢にし、少なくとも連結部材による連結施工完了後、前記室内側に突出する離型テープの端部を室内側に引っ張りながら離型テープを取り除くことを特徴としている。
【発明の効果】
【００１８】
以上のように、請求項１のユニットルームは、複数の天井パネルが連結されて天井面が形成されるユニットルームであって、前記天井パネルが、天井面形成部と、この天井面形成部の端縁から天井裏側に立ち上がる立上り壁部およびこの立上り壁部上端から前記パネル本体部に対して平行となるように形成された連結部材係止部とからなる連結部材装着部とを有し、隣接する２つの天井パネルが、前記立上り壁部同士を対面させた連結姿勢にされ、この連結姿勢の２つの前記立上り壁部が複数の連結部材によって、立上り壁部の長手方向の両端部を含む複数箇所で間欠的に連結保持されていて、前記連結部材は、それぞれ両天井パネルの立上り壁部を両側から挟み込むように設けられた挟着部によって両天井パネルを部分的に連結保持するとともに、両天井パネルが連結姿勢を保持した状態で着脱可能に形成されているとともに、前記挟着部が挟着状態の連結保持姿勢を保ちながら前記連結部材装着部の長手方向にスライド可能に形成されているので、以下のような優れた効果を奏する。
【００１９】
（１）両天井パネルが連結姿勢を保持した状態で着脱可能に形成されているので、２つの天井パネルの連結部以外の周縁をそれぞれ壁パネルやドア枠の上端に支持させて立上り壁部同士を連結姿勢にした状態で、例えば、作業者が天井パネルに設けられた点検口から天井裏に体の一部を臨ませて、点検口近傍で容易に各連結部材を連結保持姿勢に仮装着することができる。
（２）連結部材は、連結保持姿勢を保ちながら前記連結部材装着部の長手方向にスライド可能に形成されているので、仮装着した連結部材を必要に応じてハンマーやその他の治具等を用いて所定の連結保持位置まで移動させることができる。
すなわち、点検口から遠く離れた天井パネルの両端で、ボルトやナットを締め付ける作業を行わなくて済み、天井裏の作業スペースが狭くても連結作業を容易に行える。
（３）天井パネルは、連結部材装着部が、パネル本体の側面から突出しないので、搬送やストックの際の重ね合わせが容易である。
（４）天井パネルの連結姿勢にする際に、いずれの天井パネルから施工してもよいので、作業性がよい。
【００２０】
請求項２のユニットルームは、さらに、天井パネルのいずれか１つに点検口が設けられているとともに、両天井パネルの連結部材装着部に沿うように配置される補強部材を有し、
前記点検口の近傍位置に装着された連結部材が少なくとも前記補強部材に支持固定されている構成としたので、撓みによる天井パネルの中央部の浴室内側への垂れ下がりを防止できる。
【００２１】
請求項３のユニットルームは、補強部材が、帯状をした天板部と、この天板部の幅方向の両側から平行に延出する脚部を有し、両天井パネルの連結部材装着部を天板部によって上方から覆い、両脚部の間に少なくとも連結部材が挟まれるように配置されるので、すなわち、補強部材が略冂字形をしているので、曲げ強度的に強いため、しっかりと天井パネルの垂れ下がりを防止できる。
【００２２】
請求項４のユニットルームは、連結部材が、天井パネルの両端を連結する端部連結部材と、端部連結部材と端部連結部材との中間部を連結す内側連結部材とからなり、前記端部連結部材および内側連結部材は、その下端部に前記補強部材の脚部を下側から受ける脚部受け部を外側に突出するように両側にそれぞれ備えるとともに、内側連結部材の底面から内側連結部材の脚部受け部の上面までの高さが、端部連結部材の底面から端部連結部材その脚部受け部の上面までの高さより低くく形成されているので、内側連結部材を端部連結部材より上方に引き上げた状態で補強部材に固定できる。したがって、最も垂れ下がりやすい、天井パネルの中央部が端部より上側に引き上げる方向に支持でき、天井パネルがよりフラットな状態になる。
【００２３】
請求項５のユニットルームは、連結部材が、係合手段を有し、係合手段の係合を解除することによって分離自在で、かつ、それぞれ一方の挟着部を有する２つの連結部材形成ピースからなり、両連結部材形成ピースは、一方の連結部材形成ピースが連結姿勢にある一方の天井パネルの連結部材装着部の連結部材係止部と天井面形成部との隙間に前記挟着部が入り込むように配置され、他方の連結部材形成ピースが前記一方の連結部材形成ピースとずれた位置で連結姿勢にある他方の天井パネルの連結部材装着部の連結部材係止部と天井面形成部との隙間に前記挟着部が入り込むように配置された状態にされたのち、一方の連結部材形成ピースを他方の連結部材形成ピース方向に連結部材装着部に沿って相対的にスライド移動させて連結保持状態にされる構成となっているので、連結部材を容易に装着できる。
【００２４】
請求項６のユニットルームは、連結部材が、連結姿勢にある両天井パネルの連結部材係止部を上側から覆うように配置される上部カバー部と、この上部カバー部の基準点を対称中心にして点対称位置に設けられた２つの挟着部とを有するとともに、両天井パネルの連結部材係止部上で前記上部カバー部を前記基準点を中心に、一方に回転させることによって、２つの挟着部が、前記連結部材係止部と天井面形成部間に嵌り込み、他方に回転させることによって、前記連結部材係止部と天井面形成部間から離脱するように形成されているので、連結部材の部品点数をすくなくすることができるとともに、連結部材を基板部の基準点を中心に回転させるだけで、挟着部を挟着位置と取り外し位置にすることができ、連結部材による連結作業を容易に行うことができる。
【００２５】
請求項７の連結施工方法は、天井パネルの連結側の端縁部を除く端縁部をユニットルームの側壁構造材の上端に支持させた状態で各天井パネルを連結姿勢にしたのち、室内側からいずれか一方の天井パネルに設けられた点検口から作業者が天井裏に体を臨ませて、前記点検口の近傍の手の届く範囲で連結部材を連結状態に仮装着し、治具を用いて正常連結位置までスライドさせるようにしたので、天井裏の作業スペースが狭くても天井パネルの両端側に配置さえる連結部材の正常位置への装着を小さな点検口から容易に行うことができる。
【００２６】
請求項８の連結施工方法は、両面が粘着面となったテープ状のシール材を、一方の粘着面に離型テープを残した状態で、他方の粘着面を用いて一方に天井パネルの立上り壁部の長手方向全長にわたって貼着した状態で、一方の天井パネルの立上り壁部と他方の天井パネルの立上り壁部との間で前記離型テープを残した状態のシール材を、前記離型テープの長手方向の一端部または両端部を粘着面から離型させて、ユニットルームの室内側に突出させた状態に挟み込んで、両天井パネルを連結姿勢にし、少なくとも連結部材による連結施工完了後、前記室内側に突出する離型テープの端部を室内側に引っ張りながら前記離型テープを取り除くようにしたので、湿式のシーリング材を天井面の天井パネルと天井パネルとの連結部に沿って充填する作業が不要となり、乾式で天井パネルと天井パネルとの連結部の水密を図ることができ、施工性がよい。しかも、天井面にシール材が露出せず、天井面の意匠性があがる。
【図面の簡単な説明】
【００２７】
【図１】本発明にかかるユニットルームであるユニットバスの第１の実施の形態であって、その天井パネルと天井パネルとの連結部を天井裏側からみた斜視図である。
【図２】図１のユニットバスの天井部分の一部切欠縦断面図である。
【図３】図２の要部拡大図である。
【図４】図１のユニットバスに用いる第１連結部材形成ピースをあらわし、同図（ａ）は正面図、同図（ｂ）は平面図、同図（ｃ）は側面図である。
【図５】図１のユニットバスに用いる第２連結部材形成ピースをあらわし、同図（ａ）は正面図、同図（ｂ）は平面図、同図（ｃ）は側面図である。
【図６】図１のユニットバスの内側連結部材の装着状態をあらわす斜視図である。
【図７】図１のユニットバスの端部連結部材の装着状態をあらわす斜視図である。
【図８】図１のユニットバスに用いる補強部材をあらわし、同図（ａ）は正面図、同図（ｂ）は側面図である。
【図９】図８の補強部材の装着状態をあらわす斜視図である。
【図１０】内側連結部材の装着方法を説明する斜視図である。
【図１１】本発明にかかるユニットルームであるユニットバスの第２の実施の形態であって、その天井パネルと天井パネルとの連結部を天井裏側からみた斜視図である。
【図１２】図１１のユニットバスの天井部分の要部縦断面図である。
【図１３】図１１のユニットバスの内側連結部材の装着部の切欠断面斜視図である。
【図１４】図１１に用いる内側連結部材の平面図である。
【図１５】図１４の内側連結部材の側面図である。
【図１６】図１４の内側連結部材の装着方法を説明する図である。
【図１７】図１４の内側連結部材の仮装着状態をあらわす斜視図である。
【図１８】本発明にかかるユニットルームであるユニットバスの第３の実施の形態であって、その内側連結部材装着部の断面図である。
【図１９】図１８のユニットバスの内側連結部材の装着方法を説明する斜視図である。
【図２０】図１８のユニットバスの補強部材の装着方法を説明する斜視図である。
【図２１】従来のユニットルームの天井パネルの連結構造の１例をあらわす図である。
【図２２】従来のユニットルームの天井パネルの連結構造の他の例をあらわす図である。
【発明を実施するための形態】
【００２８】
以下に、本発明を、その実施の形態をあらわす図面を参照しつつ詳しく説明する。
図１〜図１０は、本発明にかかるユニットルームであるユニット式浴室（以下、「ユニットバス」と記す）の第１の実施の形態をあわしている。
【００２９】
図１〜図３に示すように、このユニットバスＡは、天井が２枚の天井パネル１を連結施工することによって形成されている。
２枚の天井パネル１は、同形状をしていて、天井パネル本体１ａと、裏打ち材１ｂとを備えている。
天井パネル本体１ａは、長方形をして浴室の天井面を構成する天井面形成部１１と、この天井面形成部１１の一方に長辺に沿って設けられた連結部材装着部１２と、他の３辺に沿って設けられた壁パネル係合部１３とを備え、化粧鋼板を折り曲げ形成されている。
【００３０】
連結部材装着部１２は、立上り壁部１２ａと、連結部材係止部１２ｂとを備えている。
立上り壁部１２ａは、天井面形成部１１の端縁から天井裏側にほぼ直角に立ち上るように設けられている。
連結部材係止部１２ｂは、立上り壁部１２ａの上端から天井面形成部１１に平行に設けられている。
【００３１】
壁パネル係合部１３は、図２に示すように、側面視略冂の字形をしていて、冂の字の横辺部分の天井面形成部１１からの高さが連結部材係止部１２ｂとほぼ同じに形成されている。
また、壁パネル係合部１３は、図１に示すように、各天井パネル１の、連結部材装着部１２に直交する天井面形成部１１の２辺と、図２に示すように、連結部材装着部１２に平行な天井面形成部１１の残りの１辺に沿ってそれぞれ設けられている。
【００３２】
そして、２枚の天井パネル１は、立上り壁部１２ａと立上り壁部１２ａとの間にシール材１４を介在させた状態で、立上り壁部１２ａと立上り壁部１２ａとが突き合わされている。なお、シール材１４としては、特に限定されないが、たとえば、アクリル系樹脂発泡体やポリオレフィン系樹脂発泡体からなる基材の両面にアクリル系やブチルゴム系粘着剤層を備えたものを用いることができる。
また、図２に示すように、壁パネル係止部１３が、図１に示す支柱６との連結材５１を介して浴室の側壁を形成する壁パネル５やドア枠（図示せず）の上端縁に連結状態に係合されるとともに、目地材５２によって天井パネル１と壁パネル５やドア枠との目地部が止水されている。
【００３３】
また、両天井パネル１、１は、３つの内側連結部材２ａと２つの端部連結部材２ｂとによって長手方向に間欠的に連結保持されている。
内側連結部材２ａおよび端部連結部材２ｂは、例えば、ポリアセタール（ＰＯＭ）を成形することによって得られる図４に示す第１連結部材形成ピース２０あるいは図５に示す第２連結部材形成ピース２９同士を後述するようにスライド嵌合させることによって形成されるようになっている。
【００３４】
第１連結部材形成ピース２０は、図４に示すように、上部カバー形成部２１と、係止部２２と、側カバー部２３と、挟着部２４と、後述する補強部材４ａの脚部４１の下端を受ける脚部受け部２５を備えている。
上部カバー形成部２１は、平面視で、連結姿勢にある天井パネル１の一方の連結部材係止部１２ｂの幅方向の全幅を上方から覆うことができる幅をした略矩形をして、図２および図３に示すように、分割面となる一方の側面が他方の第１連結部材形成ピース２０の側面と突き合わされるように平面になっている。
【００３５】
また、上部カバー形成部２１は、長手方向の一側部にスリット２１ｃが水平方向に設けられている。
上部カバー形成部２１のこのスリット２１ｃより上側部分は、後述する係止部２２が係合するように、前記分割面と反対側の側面側および長手方向の一側面側が切り欠かれて、他の部分より幅が狭くなった係合部２１ａとなっている。
係合部２１ａは、前記分割面と反対側の側面に係合凹部２１ｂを備えている。
【００３６】
係止部２２は、係止部本体２２ａと、ガイド爪部２２ｃとを備えている。
係止部本体２２ａは、図４（ｂ）に示すように、平面視略Ｌ字形をしていて、係合凹部２１ｂに係合する係合突部２２ｂが前記分割面側に向かって突設されている。
ガイド爪部２２ｃは、前記スリット２１ｃと同じ高さ位置に設けられ、スリット２１ｃにスライド嵌合する厚みに形成されている。
【００３７】
側カバー部２３は、上部カバー形成部２１の分割面とは反対側の側面に沿って、上部カバー形成部２１の下端から下方に延出するように設けられている。
また、側カバー部２３は、分割面とは反対側の面に、後述する補強部材４ａの固定ねじ４３の先端部が嵌り込むねじ受け溝２１ｄが形成されている。
ねじ受け溝２１ｄの底には、２つの第１連結部材形成ピース２０をスライド嵌合させて、内側連結部材２ａを形成した状態で分割面間が天井パネル１の荷重で拡がらないようにするねじ２８をねじ込むねじ孔２１ｅが穿設されている。
【００３８】
挟着部２４は、側カバー部２３の下端で分割面側の面から分割面方向に突出するように設けられていて、その高さは、連結部材装着部１２の連結部材係止部１２ｂと天井面形成部１１との隙間と略同じになっている。
また、挟着部２４と、上部カバー形成部２１との間には、連結部材係止部１２ｂが入り込む隙間２６が形成されている。
【００３９】
脚部受け部２５は、側カバー部２３の下端で挟着部２４とは逆方向に板状に突出している。脚部受け部２５の厚みは、後述する補強部材４ａの脚部４１を介して加わる天井パネル１の重みに耐えることができれば、できるだけ薄くすることが材料コスト的に好ましい。
【００４０】
第２連結部材形成ピース２９は、図５に示すように、脚部受け部としての３本の垂直リブ２７が設けられ、この垂直リブ２７の上面で補強部材４ａの脚部４１を受けるようになっている。また、図５（ａ）に示す天井面形成部１１によって受けられる第２連結部材形成ピース２９の底面から垂直リブ２７の上面までの高さｈ2が、図４（ａ）に示す第１連結部材形成ピース２０の底面から脚部受け部２５の上面までの高さｈ1より高くなっているとともに、ねじ孔２１ｅが設けられていない以外は、他の構成が上記第１連結部材形成ピース２０と同様になっている。
【００４１】
そして、第１連結部材形成ピース２０同士をスライド嵌合させて形成される内側連結部材２ａは、図２、図３および図６に示すように、一方の第１連結部材形成ピース２０の挟着部２４が、一方の天井パネル１の連結部材係止部１２ｂと、天井面形成部１１との隙間に入り込み、立上り壁部１２ａに圧接され、他方の第１連結部材形成ピース２０の挟着部２４が、立上り壁部１２ａに圧接されている。
【００４２】
すなわち、内側連結部材２ａは、２つの天井パネル１の立上り壁部１２ａが、シール材１４を介在させた状態で、挟着部２４によって両側から挟着した状態で、挟着部２４が連結部材係止部１２ａと天井面形成部１１とによってガイドされながら連結部材装着部１２の長手方向にスライド可能に装着されている。
また、内側連結部材２ａは、一方の第１連結部材形成ピース２０のねじ孔２１ｅからねじ２８を他方の第１連結部材形成ピース２０のねじ孔２１ｅまでねじ込むことによって、天井パネル１の荷重によって経時的に歪みが生じ、第１連結部材形成ピース２０の分割面間が開いて挟着部２４，２４による挟着が不十分になることがないように上部カバー形成部２１，２１が固定されている。
【００４３】
一方、第２連結部材形成ピース２９同士をスライド嵌合させて形成される端部連結部材２ｂは、図７に示すように、ねじ２８をねじ込まない以外は、内側連結部材２ａと同様に挟着部２４によって両側から挟着した状態で連結部材装着部１２の長手方向にスライド可能に装着されている。
【００４４】
なお、この実施の形態では、第１連結部材形成ピース２０と、第２連結部材形成ピース２９の取り付け位置を誤らないように、例えば、第１連結部材形成ピース２０を白色、第２連結部材形成ピース２９を黒色など異なる色で成形している。
【００４５】
補強部材４ａは、鉄板等をプレス加工することによって形成されていて、図２、図３および図８に示すように、帯状の天板部４０と、この天板部４０の両側から平行に延出するように設けられた脚部４１とを備える。
一方の脚部４１は、図８に示すように、３つの内側連結部材２ａの連結位置に対応する位置に、内側連結部材２ａを補強部材４ａに支持する固定ねじ４３のねじ孔４２が穿設されている。
そして、補強部材４ａは、図２、図３および図９に示すように、内側連結部材２ａおよび端部連結部材２ｂが正常連結位置に配置された状態で、脚部４１が内側連結部材２ａおよび端部連結部材２ｂを両側から挟み、天板部４０が天井パネル１、１の連結部を全長にわたって上側から覆うように装着されている。
【００４６】
また、一方の脚部４１には、ねじ孔４２を貫通して、先端部が内側連結部材２ａのねじ受け溝２１ｄに入り込むように３本の固定ねじ４３が螺着されている。
そして、両脚部４１は、この固定ねじ４３に螺着状態で、その下端が内側連結部材２ａの脚部受け部２５および端部連結部材２ｂの３つの垂直リブ２７の上面に受けられている。
【００４７】
つぎに、このユニットバスＡの天井パネル１、１の連結施工方法を工程順に説明する。
（１）両面粘着剤付きのシール材１４を一方の面の離型テープ（図示せず）を取り除き、他方の面の離型テープ（図示せず）を残した状態で、一方の面を粘着剤によって一方の天井パネルの立上り壁部１２ａの全長にわたって貼り付ける。なお、取り除く側の離型テープの材質は特に限定されないが、残した状態にされる側の離型テープは、後述するように、連結施工後に取り除く際に千切れたりせずスムーズに取り除くことができるように、ＰＥＴ（ポリエチレンテレフタレート）等の強度的に優れるとともに、取り除く際に立上り壁部１２ａと摩擦抵抗が少ないものが好ましい。
（２）一方の天井パネル１に貼り付けられたシール材１４の他方の面の離型テープの両端側を少しシール材１４から剥がし、この剥がした部分を天井面形成部１１の室内面側に折り曲げて天井面形成部１１にマスキングテープ等で仮固定する。なお、このとき、上記離型テープの剥がした部分の長さは、離型テープを取り除く際に作業者が手であるいはペンチ等の工具で挟める程度でよい。
（３）両天井パネル１、１を壁パネル係合部１３が予め施工された壁パネル５あるいはドア枠の上端に係合するとともに、立上り壁部１２ａと立上り壁部１２ａとがシール材１４を介して突き合った連結姿勢にする。
（４）図示していないが、作業者が、天井パネル１に設けられた点検口１ｃから天井裏側に体の一部を臨ませ、点検口１ｃの近傍で、図１０に示すように、一方の第１連結部材形成ピース２０（第２連結部材形成ピース２９）を挟着部２４が立上り壁部１２ａに当接するように挟着部２４を一方の天井パネル１の連結部材係止部１２ｂと天井面形成部１１との隙間に嵌合させる。
（５）他方の第１連結部材形成ピース２０（第２連結部材形成ピース２９）を、先に取り付けた第１連結部材形成ピース２０のガイド爪部２２ｃがスリット２１ｃの開口端を臨むように、天井パネル１の長手方向にずれた位置で挟着部を他方の天井パネル１の立上り壁部１２ａに当接するように挟着部２４を他方の天井パネル１の連結部材係止部１２ｂと天井面形成部１１との隙間に嵌合させる。
（６）上記のように装着した一方の第１連結部材形成ピース２０（第２連結部材形成ピース２９）を、分割面同士を当接させながら、ガイド爪部２２ｃが他方の第１連結部材形成ピース２０（第２連結部材形成ピース２９）のスリット２１ｃ内に嵌り込むように他方の第１連結部材形成ピース２０（第２連結部材形成ピース２９）方向に相対的にスライドさせて、両第１連結部材形成ピース２０（第２連結部材形成ピース２９）をスライド嵌合させて内側連結部材２ａ（端部連結部材２ｂ）を仮装着する。
なお、上記スライド嵌合によって、一方の第１連結部材形成ピース２０（第２連結部材形成ピース２９）の係合凹部２１ｂに他方の第１連結部材形成ピース２０（第２連結部材形成ピース２９）の係合突部２２ｂが係合する。
（７）立上り壁部１２ａの挟着を確実に行わせるため、必要に応じてプライヤ（図示せず）等で両第１連結部材形成ピース２０（第２連結部材形成ピース２９）の側カバー部２３を外側から挟み込む。
（８）内側連結部材２ａの一方の第１連結部材形成ピース２０のねじ孔２１ｅから他方の第１連結部材形成ピース２０のねじ孔２１ｅまで、固定ねじ４３を螺合し、分割面同士がしっかり密着状態を保持させる。
（９）上記（５）〜（６）および必要に応じて（７）、（８）を繰り返し、３つの内側連結部材２ａを挟んで両側に端部連結部材２ｂが配置されるように仮装着する。
（１０）上記のようにして仮装着された端部連結部材２ｂおよび内側連結部材２ａを、図８に示すように、ハンマーＨを用いて打撃して連結保持姿勢の状態を保ちながら各連結部材２ａ，２ｂごとに規定された正常連結位置までスライド移動させる。なお、天井裏のスペースが狭く、ハンマーＨのみでは正常連結位置になるまで打撃できないときは、必要に応じて木の板や棒の先端を端部連結部材２ｂおよび内側連結部材２ａに当て木として押し当て板や棒の後端をハンマーＨで打撃するようにしても構わない。
（１１）脚部４１側を下にして天井パネル１の連結部の上側から補強部材４ａを被せるように設置する。
（１２）図２および図３に示すように、脚部４１のねじ孔４２に先端部がねじ受け溝２１ｄに嵌り込むように固定ねじ４３をねじ込む。すなわち、この固定ねじ４３のねじ込みによって、３つの内側連結部材２ａが補強部材４ａに吊下げ状態に支持され、天井パネル１の長手方向中央部が天井パネル１との連結部に室内側に垂れ下がらないようにしっかりと支持される。
なお、図示していないが、中央の内側連結部材２ａにねじ込まれる固定ねじ４３には、点検口１ｃの蓋に繋がるロープあるいはチェーン等の一端をねじ込みと同時に固定することが好ましい。
（１３）図示していないが、マスキングテープを剥がし、室内側に延出する離型テープの端部を手あるいはペンチ等の工具で挟み、室内側に引っ張り、離型テープを取り除き、シール材の他方の面の粘着剤層を他方の天井パネル１の立上り壁部１２ａにシール材を粘着固定する。
【００４８】
このユニットバスＡは、以上のように構成されているので、２つの天井パネル１は、天井面形成部１１の端縁から連結される他方の天井パネル１側に突出するものがなく、いずれの天井パネル１を先に壁構造材に支持させるように施工しても施工が可能である。
しかも、搬送時やストック時に積み重ねても嵩張ることなく、うまく積み上げることができ、搬送コストや保管コストを低減できる。
【００４９】
また、天井面が、同じ形の天井パネル１を２枚連結施工することによって形成できるので、天井パネル１を２種類用意する必要が無く、ユニット自体のコストを低減することができる。
さらに、第１連結部材形成ピース２０同士、あるいは、第２連結部材形成ピース２９同士をスライド嵌合させて、内側連結部材２ａおよび端部連結部材２ｂを、それぞれ点検口１ｃ近傍で容易に仮装着することができる。
【００５０】
そして、仮装着された内側連結部材２ａおよび端部連結部材２ｂは、ハンマーＨ等で打撃することによって容易にスライドし、正常な連結保持位置にすることができる。すなわち、点検口１ｃから遠く離れた天井パネル１の両端で、ボルトやナットを締め付ける作業を行わなくて済み、天井裏の作業スペースが狭くても連結作業を容易に行える。
また、補強部材４ａが略コの字形をしているので、曲げ強度的に強いため、しっかりと天井パネル１の自重による室内側への垂れ下がりを防止できる。
【００５１】
また、脚部４１のねじ孔４２を介して固定ねじ４３をねじ込み、ねじ先端部を内側連結部材２ａのねじ受け溝２１ｄに嵌り込むとともに、脚部４１の下端をその高さｈ1が垂直リブ２７の上面の高さｈ2より低い脚部受け部２５に受けさせるようにしたので、天井パネル１の長手方向に中央部が両端より少し上側に引き上げられるように支持され、天井パネル１を長手方向によりフラットな状態に施工できる。
乾式のシール材１４のみで、天井パネル１と天井パネル１との連結部の水密を図ることができ、湿式のシーリング材を後で充填するといった作業が不要となり、施工性がよい。しかも、天井面にシール材１４が露出せず、天井面の意匠性があがる。
【００５２】
図１１〜図１７は、本発明のユニットルームであるユニットバスの第２の実施の形態をあらわしている。
図１１に示すように、このユニットバスＢは、内側連結部材３ａ、端部連結部材３ｂ、補強部材４ｂが、以下のような構成になっている以外、上記第１の実施の形態と同様になっている。したがって、同じ構成部分は、同一の符号を付している。
【００５３】
すなわち、内側連結部材３ａは、図１２〜図１７に示すように、上部カバー部３１と、２つの脚部３２とを備えている。
上部カバー部３１は、連結保持姿勢において平面視で、図１４に示すように、連結姿勢に配置された両天井パネル１の連結部材係止部１２ｂを上面を完全に覆うことができる幅で天井パネル１の長手方向の寸法が長くなっているとともに、上面に垂直な基準軸としての中心軸Ｚを中心に点対称形状をしている。
また、上部カバー部３１は、図１５に示すように、下端側に後述するボルト７ａの頭部が嵌り込む凹部を有するボルト挿通孔３１ａが上記中心軸Ｚに沿って穿設されている。
【００５４】
２つの脚部３２は、上部カバー部３１の中心軸Ｚを中心に点対称位置で上部カバー部３１から下方に延出するように設けられている。
また、各脚部３２は、それぞれその下端に挟着部３３と、脚部受け部３４を備えている。
【００５５】
各脚部３２の挟着部３３は、他方の脚部３２の挟着部３３に対して上記中心軸Ｚを中心に点対称となるように、上部カバー部３１の長手軸を通る垂直面に対し、直交する方向に上部基板部の内側に向かって脚部３２の下端から延出している。
各脚部３２の脚部受け部３４は、他方の脚部３２の脚部受け部３４に対して上記中心軸を中心に点対称となるように、上部基板部の外側に向かって脚部３２下端から延出している。
【００５６】
端部連結部材３ｂは、ボルト挿通孔３１ａが設けられていないとともに、脚部受け部３４の底面からの上面までの高さが内側連結部材の脚部受け部３４より高くなっている以外は、内側連結部材３ａと同じになっている。
補強部材４ｂは、天板部４４の内側連結部材３ａの正常な連結保持位置を臨む位置に天板部４４の長手方向に長い長孔４４ａが穿設され、脚部３２にねじ孔４２が穿設されていない以外は、上記の補強部材４ａと同様になっている。
【００５７】
そして、このユニットバスＢは、天井パネル１、１が以下のように連結施工される。
（１）上記第１の実施の形態と同様にして２枚の天井パネルを連結姿勢に配置する。
（２）内側連結部材３ａの上部カバー部３１の下方からボルト挿通孔３１ａにボルト７ａを挿通し、ボルト７ａの先端が上部カバー部３１の上面から突出するようにボルト７ａをセットした状態にしておく。
（３）作業者が、天井パネル１の点検口１ｃから天井裏に体を臨ませ、点検口１ｃの近傍で、内側連結部材３ａ（端部連結部材３ｂ）を、まず、図１６に示すように、上部カバー部３１の中心軸Ｚを両天井パネル１，１の境界線上に配置するとともに、上部カバー部３１の長手軸が上記境界線と交差し、挟着部３３が連結部材係止部１２ｂより外側の連結部材係止部１２ｂと天井面形成部１１との隙間を挟着部３３が臨む位置にくるように、内側連結部材３ａ（端部連結部材３ｂ）をセットする。
（４）内側連結部材３ａ（端部連結部材３ｂ）を上記中心軸Ｚを中心に図１６に矢印で示す方向に回転させて、挟着部３３を、連結部材係止部１２ｂと天井面形成部１１との隙間に挿入し、立上り壁部１２ａに圧接させて、図１７に示すように内側連結部材３ａ（端部連結部材３ｂ）を仮装着する。
（５）上記（４）、（５）の動作を繰り返し、全ての内側連結部材３ａおよび端部連結部材３ｂを仮装着する。
（６）第１の実施の形態と同様に、ハンマーＨ等を用いて打撃によって内側連結部材３ａおよび端部連結部材３ｂを装着状態を保ちながら規定の正常連結位置までスライド移動させる。
（７）ボルト７ａの上部カバー部３１から突出した部分が長孔４４ａに挿通されとともに、補強部材４ｂの脚部４５が内側連結部材３ａの脚部受け部３４および端部連結部材３ｂの脚部受け部３４に受けられるように補強部材４ｂをセットする。
（８）長孔４４ａを貫通して天板部４４上に突出したボルト７ａの先端から蝶ナット７ｂを天板部４４に当接し、内側連結部材３ａの脚部受け部３４が脚部３２の下端に圧接するまで締めこむ。
この締め込みによって、内側連結部材３ａが上方へ引き上げられて天井パネル１の中央部の室内側への垂れ下がりを防止することができる。
（９）以後、第１の実施の形態と同様の作業を行う。
【００５８】
このユニットバスＢは、各連結部材３ａ，３ｂが、１つの部材で構成されているので、装着が簡単であるとともに、ボルト７ａに蝶ナット７ｂをねじ込むことによって内側連結部材３ａを引き上げることができるので、引き上げにあまり力を要しない。
【００５９】
図１８〜図２０は、本発明のユニットルームであるユニットバスの第３の実施の形態をあらわしている。
このユニットバスＣは、内側連結部材３ａに代えて、係止部３７が上部カバー部３１に一体成形されている内側連結部材３ｃを用いるとともに、ボルト７ａおよび蝶ナット７ｂに代えて、後述する専用の引き上げ金具７ｃを用いて内側連結部材３ｃを引き上げるようにした以外は、上記第２の実施の形態と同様になっている。したがって、同じ構成部分は、同一の符号を付している。
【００６０】
すなわち、係止部３７は、係止部本体３７ａと、連結軸部３７ｂとを備えている。
係止部本体３７ａは、補強部材４ｂの長孔４４ａに挿通可能な大きさの長孔４４ａに相似形状に形成されていて、その長手軸が上部カバー部３１の長手軸の直上に配置されるように連結軸部３７ｂを介して上部カバー部３１に連結されている。
連結軸部３７ｂは、補強部材４ｂの脚部３２が脚部受け部３４に受けられた状態で天板部４４の上面と、係止部本体３７ａの下面との間に後述する引き上げ金具７ｃの嵌装部７１の厚みと略同じか少し狭い間隔が形成される長さになっている。
【００６１】
引き上げ金具７ｃは、嵌装部７１と、ストッパ部７２を有している。嵌装部７１は、係合溝部７１ａを備えている。
【００６２】
そして、このユニットバスＣは、上記第２の実施の形態と同様の装着方法で、図１９に示すように、内側連結部材３ｃを装着するとともに、図示していないが、端部連結部材３ａを装着したのち、図２０に示すように、補強部材４ｂの長孔４４ａを介して係止部本体３７ａが天板部４４の上側に突出するように装着する。
つぎに、図２０に示すように、一方の脚部４５側から、ストッパ部７２が、脚部４５に当接し、係合溝部７１ａの最奥部まで、連結軸部３７ｂが入り込むまで、係止部本体３７ａと、天板部４４との間に嵌装部７１を嵌装する。
すなわち、嵌装部７１の嵌装によって、内側連結部材３ｃが脚部受け部３４が脚部４５の下端を受けて上方に引き上られた状態に固定される。
【００６３】
本発明は、上記の実施の形態に限定されない。例えば、上記の実施の形態では、天井面が、２枚の天井パネルを連結施工することによって形成されていたが、３枚以上の天井パネルを連結施工するようにしても構わない。なお、３枚以上の天井パネルを連結施工する場合、両端に配置される天井パネル以外の天井パネルは、幅方向の両側に連結部材装着部を設ければよい。
【００６４】
上記の実施の形態では、３つの内側連結部材がすべて同じであったが、脚部受け部の高さを天井パネルの中央部に向かって段階的に低くするようにしても構わない。
上記の実施の形態では、補強部材の脚部が長手方向全長にわたって設けられていたが、連結部材の脚部受け突起に受けられる部分にのみ間欠的に設けるようにしても構わない。
【００６５】
上記第１の実施の形態では、第２連結部材形成ピースにねじ孔が穿設されていなかったが、第２連結部材形成ピースにもねじ孔を設けて両連結部材形成ピースの上部カバー部を固定するようにしても構わない。
上記第１の実施の形態では、３つの内側連結部材に固定ねじの先端をねじ込むようにしていたが、最も中央部の内側連結部材のみでも構わない。
上記第１の実施の形態では、内側連結部材および端部連結部材が、それぞれ同一形状をした第１連結部材形成ピースあるいは第２連結部材形成ピースを嵌合することによって形成されるようになっていたが、部品点数が増えるものの、２つの異なる形状をした連結部材形成ピースを嵌合させるようにしても構わない。
【００６６】
上記の実施の形態では、補強部材の脚部が連結部材の脚部受け部に受けられるようになっていたが、補強部材の脚部の下端に天板部の幅方向外側に延出するフランジ部を設け、このフランジ部を天井面形成部に受けさせるようにしても構わない。
上記の実施の形態では、天井パネルと天井パネルとの連結部を乾式のシール材のみでシールするようになっていたが、湿式のシール材を併用するようにしても構わない。
【００６７】
上記の実施の形態では、全ての内側連結部材および端部連結部材を仮装着後、設定された連結保持位置にスライド移動させるようにしていたが、各連結部材を仮装着するごとにスライド移動させるようにしても構わないし、内側連結部材の設定された連結保持位置が点検口の近傍であれば仮装着なしに直接連結保持位置に装着し、端部連結部材のみ仮装着し、その後スライド移動させるようにしても構わない。
上記第２の実施の形態では、上部カバー部が点対称形状をしていてその中心軸が基準軸となっていたが、２つの挟着部が点対称に設けられていれば、上部カバー部は、点対称形状になっていなくても構わない。
【符号の説明】
【００６８】
Ａ，Ｂ，Ｃ  ユニットバス（ユニットルーム）
１  天井パネル
１ａ  天井パネル本体
１ｂ  裏打ち材
１１  天井面形成部
１２  連結部材装着部
１２ａ  立上り壁部
１２ｂ  連結部材係止部
１３  壁パネル係合部
１４  シール材
２ａ  内側連結部材
２ｂ  端部連結部材
２０  第１連結部材形成ピース
２１  上部カバー形成部
２１ａ  係合部
２１ｂ  係合凹部
２１ｃ  スリット
２１ｄ  ねじ受け溝
２１ｅ  ねじ孔
２２  係止部
２２ａ  係止部本体
２２ｂ  係合突部
２２ｃ  ガイド爪部
２３  側カバー部
２５  脚部受け部
２４  挟着部
２６  隙間が形成されている。
２７  垂直リブ（脚部受け部）
２８  ねじ
２９  第２連結部材形成ピース
３ａ  内側連結部材
３ｂ  端部連結部材
３ｃ  内側連結部材
３１  上部カバー部
３１ａ  ボルト挿通孔
３２  脚部
３３  挟着部
３４  脚部受け部
３７  係止部
３７ａ  係止部本体
３７ｂ  連結軸部
４ａ  補強部材４ａ
４１  脚部
４ａ、４ｂ  補強部材
４０、４４  天板部
４３  固定ねじ
４２  ねじ孔
４３  固定ねじ
４４ａ  長孔
５  壁パネル（側壁構成部材）
５１  シール部材５１
６  支柱
７ａ  ボルト
７ｂ  蝶ナット
７ｃ  引き上げ金具
７１  嵌装部
７２  ストッパ部
７１ａ  係合溝部
Ｚ  中心軸（基準軸）
【図１】
2014136936.tif 000003
【図２】
2014136936.tif 000004
【図３】
2014136936.tif 000005
【図４】
2014136936.tif 000006
【図５】
2014136936.tif 000007
【図６】
2014136936.tif 000008
【図７】
2014136936.tif 000009
【図８】
2014136936.tif 000010
【図９】
2014136936.tif 000011
【図１０】
2014136936.tif 000012
【図１１】
2014136936.tif 000013
【図１２】
2014136936.tif 000014
【図１３】
2014136936.tif 000015
【図１４】
2014136936.tif 000016
【図１５】
2014136936.tif 000017
【図１６】
2014136936.tif 000018
【図１７】
2014136936.tif 000019
【図１８】
2014136936.tif 000020
【図１９】
2014136936.tif 000021
【図２０】
2014136936.tif 000022
【図２１】
2014136936.tif 000023
【図２２】
2014136936.tif 000024